(57)【特許請求の範囲】
【請求項１】
ハウジングの内部に偶数個のコンタクトと１個以上の弾性体が配置され、２つのピンコンタクトを接続するコネクタであって、
前記コンタクトは、導電性の板で形成されており、当該板の外周部分に、
前記弾性体の一端を固定するための弾性体固定部と、
突起状の抜け防止部と、
前記弾性体固定部からみて前記抜け防止部と同じ方向の前記抜け防止部より離れた位置に配置されている第１接触部と、
前記弾性体固定部からみて前記抜け防止部と反対の方向に配置されている第２接触部と、
を有し、
前記ハウジングは、
２つの前記コンタクトを収納する１つ以上のコンタクト収納部と、
前記弾性体を固定した２つの前記コンタクトを、前記第１接触部同士で一方のピンコンタクトを挟んだ状態で、前記コンタクトの前記第２接触部側から前記コンタクト収納部に挿入するための１つ以上のコンタクト挿入口と、
前記コンタクト挿入口側に形成された穴であって、一方のピンコンタクトを、前記コンタクトの前記第１接触部同士で挟んだ状態で、前記ハウジングに挿入するための第１ピンコンタクト挿入口と、
前記第１ピンコンタクト挿入口と反対側であって、他方のピンコンタクトが、前記コンタクト収納部に収納された前記コンタクトの前記第２接触部同士の間に挿入される位置に設けられた第２ピンコンタクト挿入口と、
を有するコネクタ。
【請求項２】
導電性の板で形成された２つのコンタクトを、前記板の厚み部分に相当する外周部分同士が対向するように、前記板の広い面同士を同一の平面上に配置し、
弾性体を、前記の２つのコンタクトが引き付けあうように前記の２つのコンタクトに取り付け、
前記の２つのコンタクトと１つの弾性体を１組として、１組以上をハウジングの内部に配置し、
前記の２つのコンタクトの間にピンコンタクトを挟むことによって２つのピンコンタクトを電気的に接続するコネクタであって、
前記の２つのコンタクトのそれぞれは、
他方のコンタクトと対向する側の外周部分に形成された突起状の抜け防止部と、
前記抜け防止部を挟んだ両側に形成された凸状の第１接触部と第２接触部と、
他方のコンタクトと対向する側の前記抜け防止部と前記第２接触部の間に形成された弾性体固定部と、
を有し、
前記の２つのコンタクトは、前記抜け防止部同士が対向し、前記第１接触部同士が対向し、前記第２接触部同士が対向し、
前記ハウジングは、
前記の２つのコンタクトと１つの弾性体の組を収納する１つ以上のコンタクト収納部と、
前記弾性体を固定した２つの前記コンタクトを、前記第１接触部同士で一方のピンコンタクトを挟んだ状態で、前記コンタクトの前記第２接触部側から前記コンタクト収納部に挿入するための１つ以上のコンタクト挿入口と、
前記コンタクト挿入口側に形成された穴であって、一方のピンコンタクトを、前記コンタクトの前記第１接触部同士で挟んだ状態で、前記ハウジングに挿入するための第１ピンコンタクト挿入口と、
前記第１ピンコンタクト挿入口と反対側であって、他方のピンコンタクトが、前記コンタクト収納部に収納された前記コンタクトの前記第２接触部同士の間に挿入される位置に設けられた第２ピンコンタクト挿入口と、
を有するコネクタ。
【請求項３】
請求項１または２記載のコネクタであって、
前記一方のピンコンタクト未挿入のときに、第１接触部同士は、前記一方のピンコンタクトの厚み以下の間隔を空けて離れており、
前記一方のピンコンタクトを第１接触部同士の間に挿入したときに、抜け防止部同士の間隔は、前記一方のピンコンタクトの厚み未満である
ことを特徴とするコネクタ。
【請求項４】
請求項１または２記載のコネクタであって、
前記抜け防止部は、
先端の外周部分が、前記第１接触部と前記第２接触部とを結ぶ線上からずれるように湾曲している
ことを特徴とするコネクタ。
【請求項５】
請求項１から４のいずれかに記載のコネクタであって、
前記コンタクトは、
前記第２接触部側であって、前記第２接触部から所定の位置に配置された変位制限部を有し、
前記ハウジングは、
前記コンタクト収納部の前記第２ピンコンタクト挿入口側に変位制限爪を有し、
前記変位制限部は、移動範囲が前記ハウジングと前記変位制限爪によって限定される
ことを特徴とするコネクタ。
【請求項６】
請求項１から５のいずれかに記載のコネクタであって、
前記コンタクトは、
前記第２接触部側から挿入されるピンコンタクトを前記第２接触部に導くガイド部も有する
ことを特徴とするコネクタ。
【請求項７】
請求項１から６のいずれかに記載のコネクタであって、
前記ハウジングは、
挿入された前記一方のピンコンタクトを把持するための係止部を有する
ことを特徴とするコネクタ。
【発明の詳細な説明】
【技術分野】
【０００１】
本発明は、電力供給用のコネクタに関する。
【背景技術】
【０００２】
ピンコンタクト同士を接続するコネクタとしては、特許文献１の技術が従来技術として知られている。図１に特許文献１のコネクタの構成を示す。また、特許文献１の要約には、「第一平形挟持板２を形成する細長導電セグメント１群の一端側に同セグメント１個々の上下変位量を設定する第一上下変位制限軸９を遊貫挿すると共に、同他端側に同セグメント１個々の上下変位量を設定する第二上下変位制限軸１０を遊貫挿し、同様に上記第二平形挟持板３を形成する細長導電セグメント１群の一端側に同セグメント１個々の上下変位量を設定する第三上下変位制限軸１１を遊貫挿すると共に、同他端側に同セグメント１個々の上下変位量を設定する第四上下変位制限軸１２を遊貫挿した電力供給用平形コネクタ。」と示されている。なお、図中の符号は「１…細長導電セグメント、２…第一平形挟持板、３…第二平形挟持板、４…第一平形プラグ挿入口、５…第二平形プラグ挿入口、６…第一平形プラグ、７…第二平形プラグ、９…第一上下変位制限軸、１０…第二上下変位制限軸、１１…第三上下変位制限軸、１２…第四上下変位制限軸、１３…大径孔、１４…接触用突起」のように説明されている。
【先行技術文献】
【特許文献】
【０００３】
【特許文献１】特開２００９−２１８０６３号公報
【発明の概要】
【発明が解決しようとする課題】
【０００４】
しかしながら、従来技術は、複数組の平形挟持板の変位を、平形挟持板を貫通する４本の上下変位制限軸で制限しているので、部品点数が多くなる。また、複数組の平形挟持板を一度に組み立てていかなければならないので、組み立てにくい。本願発明は、部品点数を少なくし、組み立てやすい電力供給用のコネクタを提供することを目的とする。
【課題を解決するための手段】
【０００５】
本発明のコネクタは、ハウジングの内部に偶数個のコンタクトと１個以上の弾性体が配置され、２つのピンコンタクトを接続するコネクタである。コンタクトは、導電性の板で形成されており、当該板の外周部分（板の広い面側から見たときの２次元形状の外周部分、あるいはその厚みに相当する部分）に、弾性体固定部、抜け防止部、第１接触部、第２接触部を有する。ハウジングは、１つ以上のコンタクト収納部、１つ以上のコンタクト挿入口、第１ピンコンタクト挿入口、第２ピンコンタクト挿入口を有する。
【０００６】
弾性体固定部は、弾性体の一端を固定する。抜け防止部は、突起状である。第１接触部は、弾性体固定部からみて抜け防止部と同じ方向の抜け防止部より離れた位置に配置されている。第２接触部は、弾性体固定部からみて抜け防止部と反対の方向に配置されている。
【０００７】
コンタクト収納部は２つの前記コンタクトを収納する。コンタクト挿入口は、弾性体を固定した２つのコンタクトを、第２接触部側からコンタクト収納部に挿入できる穴である。第１ピンコンタクト挿入口は、コンタクト挿入口側にある一方のピンコンタクト用の穴である。そして、一方のピンコンタクトをコンタクトの第１接触部同士の間に挿入した状態で、コンタクトと一方のピンコンタクトとを、コンタクト挿入口と第１ピンコンタクト挿入口からコンタクト収納部に収納できる。第２ピンコンタクト挿入口は、第１ピンコンタクト挿入口と反対側であって、他方のピンコンタクトが、コンタクト収納部に収納されたコンタクトの第２接触部同士の間に挿入される位置に設けられている。
【発明の効果】
【０００８】
本発明のコネクタによれば、コンタクトと弾性体以外の部品としては、ハウジングのみでよい。また、２つのコンタクトと弾性体とを１組として、１組ずつ一方のピンコンタクトに取り付け、すべての組を取り付けた上でハウジングに収納すればよいので、同時に複数組のコンタクトと弾性体とを扱う必要がない。したがって、コネクタを組み立てやすい。
【図面の簡単な説明】
【０００９】
【図１】従来のコネクタの構造を示す図。
【図２】本発明のコネクタの外観図を示す図。
【図３】本発明のコネクタを第２ピンコンタクト挿入口側から見た正面図。
【図４】本発明のコネクタを第１ピンコンタクト挿入口側から見た斜視図であって、第１のピンコンタクトを挿入する前の様子を示す図（ただし、コンタクトは図示せず）。
【図５】第１のピンコンタクトを係止する方法を示す図。
【図６】図３のＡ−Ａ線での断面図を示す図。
【図７】第２のピンコンタクトが挿入されたときの様子を示す図。
【図８】第２のピンコンタクトが挿入されたときの別の角度から見た様子を示す図。
【図９】本発明のコネクタが使われるときの様子を示す斜視図。
【図１０】本発明のコネクタを第１のピンコンタクトに取り付けた状態に組み立てる手順であって、第１のピンコンタクトにコンタクトを取り付ける手順を示す図。
【図１１】本発明のコネクタを第１のピンコンタクトに取り付けた状態に組み立てる手順であって、コンタクトが取り付けられた第１のピンコンタクトをハウジングに挿入する様子を示す図。
【図１２】本発明のコンタクトの抜け防止部を湾曲させた変形例を示す図。
【発明を実施するための形態】
【００１０】
以下、本発明の実施の形態について、詳細に説明する。なお、同じ機能を有する構成部には同じ番号を付し、重複説明を省略する。
【実施例１】
【００１１】
図２に本発明のコネクタの外観図を示す。図２（Ａ）は第２ピンコンタクト挿入口側から見た斜視図、図２（Ｂ）は第１ピンコンタクト挿入口側から見た斜視図であって、第１のピンコンタクトが挿入された様子を示す図である。図３は、本発明のコネクタを第２ピンコンタクト挿入口側から見た正面図である。図４は、第１ピンコンタクト挿入口側から見た斜視図であって、第１のピンコンタクトを挿入する前の様子を示す図である。ただし、図４ではコンタクトは図示していない。図５に、第１のピンコンタクトを係止する方法を示す。図５（Ａ）は図３のＢ−Ｂ線での断面図、図５（Ｂ）は図５（Ａ）のＣの部分の拡大図である。図６に図３のＡ−Ａ線での断面図を示す。図７に第２のピンコンタクトが挿入されたときの様子を示す。図７（Ａ）は、図３のＡ−Ａ線での断面図であって、第１のピンコンタクトと第２のピンコンタクトの上下方向の位置が一致している場合の様子を示す図である。図７（Ｂ）は、図３のＡ−Ａ線での断面図であって、第１のピンコンタクトと第２のピンコンタクトの上下方向の位置がずれている場合の様子を示す図である。図８に第２のピンコンタクトが挿入されたときの別の角度から見た様子を示す。図８（Ａ）は、図７（Ａ）のＤ−Ｄ線での断面図であって、第１のピンコンタクトと第２のピンコンタクトの左右方向の位置が一致している場合の様子を示す図である。図８（Ｂ）は、図７（Ａ）のＤ−Ｄ線での断面図であって、第１のピンコンタクトと第２のピンコンタクトの左右方向の位置がずれている場合の様子を示す図である。図９は、本発明のコネクタが使われるときの様子を示す斜視図である。
【００１２】
［本発明の構成の説明］
コネクタ１００は、ハウジング３００の内部に偶数個のコンタクト２００と１個以上の弾性体４００が配置され、２つのピンコンタクト９１０、９２０を接続するコネクタである。例えば、ピンコンタクト９１０は固定用穴９１１を有しており（図２参照）、装置９３５側のバスバー９３０にネジ９３１などで固定される（図９参照）。また、ピンコンタクト９２０は固定用穴９２１を有しており（図２参照）、電力源側のバスバー９４０にネジ９４１などで固定される（図９参照）。
【００１３】
コンタクト２００は、導電性の板で形成されている。例えば、銅合金の板などで形成すればよい。コンタクト２００は、当該板の外周部分（板の広い面側から見たときの２次元形状の外周部分、あるいはその厚みに相当する部分）に、少なくとも弾性体固定部２３０、抜け防止部２４０、第１接触部２１０、第２接触部２２０、ガイド部２５０、を有する（図６参照）。ハウジング３００は、１つ以上のコンタクト収納部３１０、１つ以上のコンタクト挿入口３２０、第１ピンコンタクト挿入口３３０、第２ピンコンタクト挿入口３４０、係止部３７０を有す（図２〜６参照）。弾性体４００は、例えばコイルバネを用いればよいが、これに限定する必要は無い。２つのコンタクト２００−１、２に、互いに引付けあうような力を生じさせることができれば、他の弾性体でもかまわない。
【００１４】
弾性体固定部２３０は、弾性体４００の一端を固定する。抜け防止部２４０は、突起状である。第１接触部２１０は、弾性体固定部２３０からみて抜け防止部２４０と同じ方向であって、より離れた位置に配置されている。第２接触部２２０は、弾性体固定部２３０からみて抜け防止部と反対の方向に配置されている。より具体的には、抜け防止部２４０は、第１接触部２１０と第２接触部２２０とを結ぶ直線よりも飛び出ている。また、第１接触部２１０と第２接触部２２０は、対向する第１接触部２１０−１、２同士、第２接触部２２０−１、２同士が押し付ける力が加わった場合に、弾性体固定部２３０を中心として互いに反対向きのモーメントが発生する位置に配置されている。ガイド部２５０は、第２接触部２２０側から挿入されるピンコンタクト９２０を第２接触部２２０に導くようにテーパ状になっている。
【００１５】
コンタクト収納部３１０は、２つのコンタクト２００−１、２ごとに、抜け防止部２４０−１、２同士と第２接触部２２０−１、２同士を対向させ、コンタクト２００−１、２同士に引き付けあう力が生じるように弾性体４００を双方の弾性体固定部２３０−１、２に固定した状態で、２つのコンタクト２００−１、２を収納する。より具体的には、弾性体４００がある部分は、弾性体４００の大きさに合わせた空間を確保し、その他の空間の幅がコンタクト２００−１、２の板厚より少し広くなるように形成すればよい。コンタクト収納部３１０とコンタクト２００−１、２との隙間が、コンタクト２００−１、２が移動可能な範囲である。コンタクト２００−１、２の形状やコンタクト収納部３１０の空間の形状としては様々な選択肢があるので、第１接触部２１０と第２接触部２２０の移動可能な範囲を高い自由度で設計できる。
【００１６】
コンタクト挿入口３２０は、コンタクト収納部３１０ごとに形成されており、弾性体４００を固定した２つのコンタクト２００−１、２を、第２接触部２２０−１、２側からコンタクト収納部３１０に挿入するための細長い長方形の穴である。第１ピンコンタクト挿入口３３０は、コンタクト挿入口３２０側にあるピンコンタクト９１０用の穴である。そして、ピンコンタクト９１０をコンタクト２００−１，２の第１接触部同士２１０−１、２の間に挿入した状態で、コンタクト２００−１、２とピンコンタクト９１０とを、コンタクト挿入口３２０と第１ピンコンタクト挿入口３３０からコンタクト収納部３１０に収納できる。なお、コンタクト２００が４個以上（２組以上）あり、コンタクト収納部３１０が２個以上ある場合には、第１ピンコンタクト挿入口３３０は、ピンコンタクト９１０を、全てのコンタクト２００の組の第１接触部２１０−１、２同士で挟むことができる位置に設けられている。図２のコネクタの場合、コンタクト収納部３１０が３個あり、第１ピンコンタクト挿入口３３０は、ピンコンタクト９１０を、３組のコンタクト２００の第１接触部２１０−１、２同士で挟むことができる位置に設けられている。
【００１７】
第２ピンコンタクト挿入口３４０は、第１ピンコンタクト挿入口３３０と反対側であって、ピンコンタクト９２０が、コンタクト収納部３１０に収納されたコンタクト２００−１、２の第２接触部２２０−１、２同士の間に挿入される位置に設けられている。なお、コンタクトが４個以上（２組以上）あり、コンタクト収納部３１０が２個以上ある場合には、第２ピンコンタクト挿入口３４０は、ピンコンタクト９２０が、全てのコンタクト２００の組の第２接触部２２０−１、２同士の間に挿入される位置に設けられている。図２のコネクタの場合、コンタクト収納部３１０が３個あり、第２ピンコンタクト挿入口３４０は、３組のコンタクト２００の第２接触部２２０−１、２同士の間に挿入される位置に設けられている。
【００１８】
係止部３７０は、挿入されたピンコンタクト９１０を把持する。例えば、図４のように、ピンコンタクト９１０の先端部分が全体よりも幅広となるように、ピンコンタクト９１０に爪部９１２を形成しておく。そして、図５に示すように、ピンコンタクト９１０を挿入したときに引っかかる爪状の係止部３７０をハウジング３００内に形成すればよい。
【００１９】
さらに、ピンコンタクト９１０未挿入のときには、第１接触部２１０−１、２同士は、ピンコンタクト９１０の厚み以下の間隔を空けて離れる形状にする。つまり、第１接触部２１０−１、２同士でピンコンタクト９１０を挟むことができる形状にする。また、ピンコンタクト９１０を第１接触部２１０−１、２同士の間に挿入したとき（第１接触部２１０−１、２同士でピンコンタクト９１０を挟んだとき）には、第１接触部２１０−１、２同士の間隔が広がるので、抜け防止部２４０−１、２同士は離れる。このときの抜け防止部２４０−１、２同士の間隔が、ピンコンタクト９１０の厚み未満となるようにする。コンタクト２００はこのような形状なので、ハウジング３００とピンコンタクト９１０との位置関係が固定された状態では、コンタクト２００がハウジング３００から抜け出てしまうことがない。例えば、図９のようにコネクタ１００にピンコンタクト９１０とピンコンタクト９２０とが接続された状態では、ハウジング３００とピンコンタクト９１０との位置関係は固定される。このような状態のときに、抜け防止部２４０がピンコンタクト９１０により抑えられ、コンタクト２００はハウジング３００とピンコンタクト９１０に挟まれるため、コンタクト２００がハウジング３００から抜け出ない。
【００２０】
また、コンタクト収納部３１０とコンタクト２００−１、２との隙間が、コンタクト２００−１、２が移動可能な範囲である。つまり、第２接触部２２０は、コンタクト２００の第２接触部２２０側の形状とコンタクト収納部３１０の空間の形状との隙間によって移動できる範囲が決まる。そこで、第２接触部２２０の移動範囲を制限しやすくするために、コンタクト２００が変位制限部２６１を有し、ハウジング３００が変位制限爪３５０を有してもよい（図６参照）。変位制限部２６１は、第２接触部２２０側であって、第２接触部２２０から所定の位置に配置されている。「所定の位置」とは、変位制限爪３５０との関係から第２接触部２２０が移動できる範囲を制限するようにあらかじめ定めた位置である。変位制限爪３５０は、コンタクト収納部３１０の第２ピンコンタクト挿入口３４０付近に配置される。そして、例えば、変位制限爪３５０とハウジング３００の外壁の一部である変位制限壁３８０によって、変位制限部２６１の移動範囲を限定する（図６，図７参照）。変位制限部２６１と変位制限壁３８０は、第２接触部２２０が変位制限壁３８０方向に移動できる範囲を決める役目を果たし、変位制限部２６１と変位制限爪３５０は、第２接触部２２０が変位制限爪３５０方向に移動できる範囲を決める役目を果たす。つまり、第２接触部２２０は、変位制限爪３５０と変位制限壁３８０との間隔から変位制限部２６１の厚さを引いた長さだけ移動できる。
【００２１】
また、ハウジング３００の外壁部分には、ハウジングを把持するための把持部３９０を備えてもよい。
【００２２】
［本発明の構成の異なる表現での説明］
本発明のコネクタの構成、特にコンタクトの部分の構成を異なる表現を用いて説明すると以下のようになる。なお、この説明は最初の説明の内容を限定するものではなく、最初の説明では理解しにくい部分を補充するための説明である。
【００２３】
コネクタ１００では、導電性の板で形成された２つのコンタクト２００−１、２を、板の厚み部分に相当する外周部分同士が対向するように、板の広い面同士を同一の平面上に配置し、弾性体４００を、２つのコンタクト２００−１、２が引き付けあうように２つのコンタクト２００−１、２に取り付ける（図６参照）。なお、「同一平面」とは、厳密な意味での同一平面ではなく、ピンコンタクト９１０、９２０がないときに、外周部分同士が接触する程度に同一であればよい。２つのコンタクト２００−１、２と１つの弾性体４００を１組として、１組以上をハウジング３００の内部に配置する。そして、２つのコンタクト２００−１、２の間にピンコンタクト９１０、９２０を挟むことによって２つのピンコンタクト９１０、９２０を電気的に接続する。
【００２４】
２つのコンタクトのそれぞれは、第１接触部２１０−１、２、第２接触部２２０−１、２、弾性体固定部２３０−１、２、抜け防止部２４０−１、２、ガイド部２５０−１、２を有する。２つのコンタクト２００−１、２は、抜け防止部同士が対向し、第１接触部同士が対向し、第２接触部同士が対向するように配置される。抜け防止部２４０−１、２は、他方のコンタクト２００−２、１と対向する側の外周部分に形成された突起である。第１接触部２１０−１、２と第２接触部２２０−１、２は、抜け防止部２４０−１、２を挟んだ両側に形成された凸状である。弾性体固定部２３０−１、２は、他方のコンタクト２００−２、１と対向する側の抜け防止部２４０−１、２と第２接触部２２０−１、２の間に形成されている。ガイド部２５０−１、２は、第２接触部２２０−１、２側であって、ピンコンタクト９２０を第２接触部に導く。
【００２５】
ハウジング３００は、１つ以上のコンタクト収納部３１０、コンタクト収納部３１０と同じ数のコンタクト挿入口３２０、第１ピンコンタクト挿入口３３０、第２ピンコンタクト挿入口３４０、係止部３７０を備える。コンタクト収納部３１０は、２つのコンタクト２００−１、２と１つの弾性体４００の組を、２つのコンタクト２００−１、２同士が外周部分を対向させた状態を維持するように収納する。コンタクト挿入口３２０は、第１接触部同士２１０−１、２でピンコンタクト９１０を挟んだ状態で、弾性体４００を固定した２つのコンタクト２００−１、２を、第２接触部２２０−１、２側からコンタクト収納部３１０に挿入するための穴である。また、第１ピンコンタクト挿入口３３０は、コンタクト挿入口３２０側に形成された穴である。第１ピンコンタクト挿入口３３０は、ピンコンタクト９１０を、第１接触部同士２１０−１、２で挟んだ状態で、ハウジングに挿入するための穴である。第２ピンコンタクト挿入口３４０は、第１ピンコンタクト挿入口３３０と反対側であって、ピンコンタクト９２０が、コンタクト収納部３１０に収納されたコンタクト２００−１、２の第２接触部２２０−１、２同士の間に挿入される位置に設けられている。係止部３７０は、挿入されたピンコンタクト９１０を把持する。
【００２６】
さらに、ピンコンタクト９１０未挿入のときには、第１接触部２１０−１、２同士は、ピンコンタクト９１０の厚み以下の間隔を空けて離れる形状にする。また、ピンコンタクト９１０を第１接触部２１０−１、２同士の間に挿入したとき（第１接触部２１０−１、２同士でピンコンタクト９１０を挟んだとき）には、第１接触部２１０−１、２同士の間隔が広がるので、抜け防止部２４０−１、２同士は離れる。このときの抜け防止部２４０−１、２同士の間隔が、ピンコンタクト９１０の厚み未満となるようにする。
【００２７】
［ピンコンタクト同士のずれへの対応］
ピンコンタクト９１０とピンコンタクト９２０とは、必ずしも正確に位置合わせされているわけではない。そこで、次にピンコンタクト９１０とピンコンタクト９２０との位置がずれた場合のコネクタ１００の状態について、図７と図８を用いて説明する。なお、以下の説明での上下方向、左右方向とは、図面上の方向である。実際にはコネクタが取り付けられる向きによって、上下左右の方向は変わることに注意されたい。
【００２８】
ピンコンタクト９１０とピンコンタクト９２０の上下方向の位置が一致している場合は、図７（Ａ）のようになる。このとき、コンタクト２００−１、２は単純に上下に離れ、弾性体４００の力でピンコンタクト９１０、９２０を挟みつける。ピンコンタクト９１０とピンコンタクト９２０の上下方向の位置がずれている場合、図７（Ｂ）のようにコンタクト２００−１、２は傾きながら離れ、弾性体４００の力でピンコンタクト９１０、９２０を挟みつける。このときにコンタクト２００−１、２がどの程度傾くことを許容するのかは、コンタクト２００−１、２の移動可能範囲を設計するときに決めればよい。なお、移動可能範囲は、上述のように、変位制限部２６１、変位制限爪３５０、変位制限壁３８０を用いて決めればよい。
【００２９】
図８（Ａ）は、ピンコンタクト９１０とピンコンタクト９２０の左右方向の位置が一致している場合の様子を示す図であり、図８（Ｂ）は、ピンコンタクト９１０とピンコンタクト９２０の左右方向の位置がずれている場合の様子を示す図である。左右方向のずれに対しては、第２ピンコンタクト挿入口３４０の幅を広げることと、コンタクト収納部３１０の位置の設計で対応できる。
【００３０】
また、ピンコンタクト９１０とピンコンタクト９２０とがねじれている場合は、上下方向の位置のずれが、コンタクト収納部３１０ごとに異なることになる。コネクタ１００の場合であれば、コンタクト収納部３１０ごとに、コンタクトと弾性体の組は独立に移動可能なので、図７を用いて説明したように対応できる。
【００３１】
［組み立て方法］
図１０と図１１に本発明のコネクタにピンコンタクト９１０を取り付けた状態まで組み立てるための手順を示す。図１０はピンコンタクト９１０にコンタクト２００−１、２を取り付ける手順を示し、図１１はコンタクトが取り付けられたピンコンタクト９１０をハウジング３００に挿入する様子を示す。図１０（Ａ）は１つ目のコンタクト２００−１にコイルバネ４００の一端を取り付ける工程、図１０（Ｂ）は２つ目のコンタクト２００−２にコイルバネ４００の他端を取り付ける工程、図１０（Ｃ）はピンコンタクト９１０をコンタクト２００−１、２で挟む工程、図１０（Ｄ）はピンコンタクト９１０を３組のコンタクト２００−１、２で挟んだ状態を示す図である。図１１（Ａ）は、３組のコンタクト２００−１、２がピンコンタクト９１０を挟んだ状態で、コンタクト２００−１、２とピンコンタクト９１０とをハウジング３００に挿入する工程を示す図であり、図１１（Ｂ）は完成図を示す図である。
【００３２】
図１０（Ａ）と図１０（Ｂ）に示すように、弾性体４００を、２つのコンタクト２００−１、２が引き付けあうように２つの弾性体固定部２３０−１、２に取り付ける。なお、弾性体４００には、例えば、両端に鍵爪４０１、４０２を有するコイルバネを用いればよい。そして、２つのコンタクト２００−１、２を、板の厚み部分に相当する外周部分同士が対向するように、板の広い面同士を同一の平面上に配置する。
【００３３】
図１０（Ｃ）に示すように、１組のコンタクト２００−１、２ごとに、ピンコンタクト９１０に取り付ける（コンタクト２００−１、２でピンコンタクト９１０を挟む）。そして、図１０（Ｄ）に示すように、複数組のコンタクト２００−１、２をピンコンタクト９１０に取り付ければよい。なお、隣り合うコンタクト２００−１、２の組同士の間隔は、治具（図示していない）などを用いてコンタクト挿入口３２０の間隔と同じに調整すればよい。例えば、コンタクト挿入口３２０の間隔と同じ間隔の溝に、コンタクト２００−１、２をはめながらピンコンタクト９１０を挟むようにすればよい。
【００３４】
図１０（Ｄ）の状態になれば、図１１（Ａ）に示すようにコンタクト挿入口３２０と第１ピンコンタクト挿入口３３０から、コンタクト２００−１、２とピンコンタクト９１０を一緒にハウジング３００に挿入できる。したがって、容易に組み立てることができる。
【００３５】
本発明のコネクタによれば、コンタクトと弾性体以外の部品としては、ハウジングのみでよい。また、２つのコンタクトと弾性体とを１組として、１組ずつ一方のピンコンタクトに取り付け、一度にハウジングに挿入すればよいので、同時に複数組のコンタクトと弾性体とを扱う必要がない。したがって、コネクタを組み立てやすい。さらに、特許文献１の技術が、１つの平形挟持板の移動範囲を大径孔と変位制限軸との隙間のみで調整しているのに対し、本願発明はコンタクトの移動範囲をハウジングとの隙間や、変位制限部と変位制限爪で調整しているので、移動範囲の設計自由度を確保しやすい。
【００３６】
［変形例］
図１２に本発明のコンタクトの抜け防止部を湾曲させた変形例を示す。図１２（Ａ）は、２つのコンタクト２００’−１、２でピンコンタクト９１０’を挟んだ様子を示す斜視図である。また、図１２（Ｂ）は、抜け防止部２４０’−１、２とピンコンタクト９１０’との関係を示すための、異なる角度からの斜視図である。なお、実際に２つのコンタクト２００’−１、２でピンコンタクト９１０’を挟むためには弾性体４００が必要であるが、図面上は弾性体４００を省略している。
【００３７】
コンタクト２００’は、抜け防止部２４０’が実施例１（コンタクト２００）と異なる。抜け防止部２４０’は、抜け防止部２４０’の先端の外周部分（厚みの部分）が、第１接触部２１０と第２接触部２２０とを結ぶ線上からずれるように湾曲している。そして、同じ形の２つのコンタクト２００’を用いて、２つのコンタクト２００’−１、２としているので、抜け防止部２４０’−１、２の先端同士は逆方向に湾曲した状態となり、抜け防止部２４０’−１、２の先端同士は接触しない構造となっている。したがって、図１２（Ｂ）に示すように、２つのコンタクト２００’−１、２でピンコンタクト９１０’を挟んだときでも、ピンコンタクト９１０’からみて抜け防止部２４０’−１と抜け防止部２４０’−２とが重なった状態を維持できる。つまり、ピンコンタクト９１０’が薄い場合でも、抜け防止部２４０’−１、２の間に生じる隙間に、ピンコンタクト９１０’が入らないようにできる。その他の構成はすべて実施例１と同じである。したがって、上記の効果の他、実施例１と同様の効果も得られる。
【符号の説明】
【００３８】
１００  コネクタ                  ２００  コンタクト
２１０  第１接触部                ２２０  第２接触部
２３０  弾性体固定部              ２４０  抜け防止部
２５０  ガイド部                  ２６１  変位制限部
３００  ハウジング                ３１０  コンタクト収納部
３２０  コンタクト挿入口          ３３０  第１ピンコンタクト挿入口
３４０  第２ピンコンタクト挿入口  ３５０  変位制限爪
３７０  係止部                    ３８０  変位制限壁
３９０  把持部                    ４００  弾性体（コイルバネ）
４０１、４０２  鍵爪              ９１０、９２０  ピンコンタクト
９３０、９４０  バスバー          ９１１、９２１  固定用穴
９１２  爪部                      ９３１、９４１  ネジ
９３５  装置
【図１】
0005667459.tif 000002
【図２】
0005667459.tif 000003
【図３】
0005667459.tif 000004
【図４】
0005667459.tif 000005
【図５】
0005667459.tif 000006
【図６】
0005667459.tif 000007
【図７】
0005667459.tif 000008
【図８】
0005667459.tif 000009
【図９】
0005667459.tif 000010
【図１０】
0005667459.tif 000011
【図１１】
0005667459.tif 000012
【図１２】
0005667459.tif 000013